(57)【要約】      （修正有）【課題】火災時に上枠と障子の間からの延焼を防止できる建具を提供する。【解決手段】枠１と、上下枠に沿って摺動する障子２ａ、２ｂを備え、上枠３に金属製の可動遮炎材４ａ、４ｂを有し、可動遮炎材４ａ、４ｂは、火災時に障子２ａ，２ｂのレール呑み込み溝５内に降下する。通常時は可動遮炎材４ａ、４ｂが障子の摺動の邪魔にならず、火災時には可動遮炎材４ａ、４ｂを確実に降下させられ、可動遮炎材４ａ、４ｂにより火炎を確実に遮断できる。【選択図】図１
2020105903.tif 000002
【特許請求の範囲】
【請求項１】
枠と、上下枠に沿って摺動する障子を備え、上枠に金属製の可動遮炎材を有し、可動遮炎材は、火災時に障子のレール呑み込み溝内に降下することを特徴とする建具。
【発明の詳細な説明】
【技術分野】
【０００１】
本発明は、火災時に上枠と障子の間を火炎が通るのを防止した建具に関する。
【背景技術】
【０００２】
特許文献１には、上下枠に沿って摺動する障子を備え、障子に樹脂製の戸車を取付けた建具が記載されている。このような建具においては、火災が発生すると、下枠が火災の熱で室外側が垂れ下がるように変形したり、障子の樹脂製の戸車が火災の熱で溶けたりすることによって障子が下に下がり、上枠と障子との間に室内外を連通する貫通孔が生じることがある。そのように上枠と障子間に貫通孔が生ずると、そこから火炎が侵入して延焼につながるおそれがある。
【先行技術文献】
【特許文献】
【０００３】
【特許文献１】特開２００７−２１１５６８号公報
【発明の概要】
【発明が解決しようとする課題】
【０００４】
本発明は以上に述べた実情に鑑み、火災時に上枠と障子の間からの延焼を防止できる建具の提供を目的とする。
【課題を解決するための手段】
【０００５】
上記の課題を達成するために請求項１記載の発明による建具は、枠と、上下枠に沿って摺動する障子を備え、上枠に金属製の可動遮炎材を有し、可動遮炎材は、火災時に障子のレール呑み込み溝内に降下することを特徴とする。
【０００６】
本発明の建具は、可動遮炎材を障子の摺動の邪魔にならない位置に保持する保持部材を有し、火災時に保持部材が溶けて可動遮炎材が降下するものとすることができる。
この構成によれば、通常時に可動遮炎材が障子の摺動の邪魔にならず、火災時には可動遮炎材を確実に降下させられる。
【０００７】
本発明の建具は、可動遮炎材は、火災時に降下したときに上枠と障子間の隙間を塞ぐ高さ位置に保持されるものとすることができる。
この構成によれば、可動遮炎材により火炎を確実に遮断できる。
【０００８】
本発明の建具は、枠は樹脂製であり、上枠は中空部内に遮炎材が設けてあり、火災時に可動遮炎材が降下したときに、可動遮炎材が遮炎材と連続しているものとすることができる。
この構成によれば、火災時に上枠が溶けてなくなっても、火炎が室内外を連通するのを防止できる。
【０００９】
本発明の建具は、枠は樹脂製であり、可動遮炎材は上枠のレールの中空部内に設けてあるものとすることができる。
この構成によれば、通常時は可動遮炎材が外部に露出せず、普通の樹脂サッシの上枠と変わらないものでありながら、火災時には上枠のレールが火災の熱で溶けるのに伴って可動遮炎材が降下し、火炎を遮断できる。
【発明の効果】
【００１０】
請求項１記載の発明による建具は、上枠に可動遮炎材を有し、可動遮炎材は火災時に障子のレール呑み込み溝内に降下するため、火災時に障子が下がっても上枠と障子間に貫通孔が生じないので、上枠と障子の間からの延焼を防止できる。
【図面の簡単な説明】
【００１１】
【図１】本発明の建具の一実施形態を示す縦断面図である。
【図２】（ａ）は上枠への遮炎材及び可動遮炎材の配置状態（外障子側）を示す正面図、（ｂ）は同縦断面図である。
【図３】（ａ）は上枠への遮炎材及び可動遮炎材の配置状態（内障子側）を示す正面図、（ｂ）は同縦断面図である。
【図４】室外側で火災が発生したときの状態を示す縦断面図であって、（ａ）は外障子側を、（ｂ）は内障子側を示す。
【図５】室内側で火災が発生したときの状態を示す縦断面図であって、（ａ）は外障子側を、（ｂ）は内障子側を示す。
【図６】（ａ）は外レール内に固定して設けられる遮炎材の平面図、（ｂ）は同正面図、（ｃ）は同側面図である。
【図７】（ａ）は外レール内に設けられる可動遮炎材の平面図、（ｂ）は同正面図、（ｃ）は同側面図である。
【図８】（ａ）は本発明の建具の他の実施形態を示す縦断面図であって、平常時の状態を示し、（ｂ）は火災が発生したときの状態を示す。
【図９】（ａ）は本発明の建具のさらに別の実施形態を示す縦断面図であって、平常時の状態を示し、（ｂ）は火災が発生したときの状態を示す。
【発明を実施するための形態】
【００１２】
以下、本発明の実施の形態を図面に基づいて説明する。図１〜３は、本発明の建具の一実施形態を示している。本建具は、図１に示すように、躯体に固定される枠１と、上下枠に沿って摺動する外障子２ａ及び内障子２ｂとを備える、いわゆる引違いサッシである。
枠１は、合成樹脂の押出形材よりなる上枠３と下枠と左右の竪枠とを、端部を斜め４５°に切断して突き合わせて溶着し、矩形に枠組みされている。外障子２ａと内障子２ｂは、合成樹脂の押出形材よりなる上框６と下框と戸先框と召し合せ框とを、端部を斜めに切断して突き合わせて溶着することで矩形に框組みし、その内側に複層ガラス７を納め、室外側に押縁８を取付けて複層ガラス７を保持してある。
【００１３】
上枠３は、図１に示すように、中空部９ａ，９ｂ，９ｃ，９ｄが見込み方向に複数並べて設けてあり、外周側に躯体固定片１０ａ，１０ｂを有し、内周側に突出して室外側垂下片１１と、外障子２ａ上部を案内する外レール１２と、内障子２ｂ上部を案内する内レール１３と、室内側垂下片１４とが、見込み方向に間隔をおいて設けてある。外レール１２と内レール１３は、中空部１５を有している。
室外側から１〜３番目の中空部内９ａ，９ｂ，９ｃには、上枠補強材１６ａ，１６ｂ，１６ｃがそれぞれ設けてある。これらの上枠補強材１６ａ，１６ｂ，１６ｃは、ステンレス等の金属の板を折り曲げて略コ字形に形成してあり、図２，３に示すように、上枠３の略全長にわたって設けてある。上枠３の外周側面には、所定の長さに切断されたＬ形断面の固定金具１７が間隔をおいて配置され、固定金具１７は上枠３の躯体固定片１０ａの室外側に重ねて室外側からのねじ１８で躯体に固定してある。上枠３の中空部９ａ，９ｂ，９ｃ内に配置した各上枠補強材１６ａ，１６ｂ，１６ｃは、固定金具１７に上方からのねじ１９で固定してある。
各上枠補強材１６ａ，１６ｂ，１６ｃの下面には、火災時に火災の熱により発泡・膨張する熱膨張性耐火材２０ａ，２０ｂ，２０ｃが長手方向に沿って設けてある。かかる熱膨張性耐火材２０ａ，２０ｂ，２０ｃは、市販品の中から適宜選択して用いることができ、例えば積水化学工業株式会社製の商品名「フィブロック」を用いることができる。これは、プラスチック技術を活用した有機系耐火材であり、通常の状態では柔軟な薄いシート状で、２００℃以上に加熱されると発泡して厚さ方向に５〜４０倍に膨張し、断熱層を形成する。火災時に消失することがなく、有害ガスが発生することもない。またフィブロックは、片面に剥離紙付きの接着層を有し、剥離紙を剥がして簡便に接着取付けできる。
【００１４】
上枠３の外レール１２の中空部１５内には、図１，２に示すように、レール補強材２１ａと可動遮炎材４ａが設けてある。レール補強材２１ａは、ステンレス等の金属の板を折り曲げて形成したもので、上横壁２２と下横壁２３と縦壁２４とを有しており、縦壁２４を室内側に向けて配置してある。レール補強材２１ａは、図２（ａ）に示すように、上枠３の外障子側の端部から内外障子の召合せ部を超えて内障子側までのびている。またレール補強材２１ａは、図６に示すように、上横壁２２と下横壁２３に貫通孔２５が設けてあり、該貫通孔２５に下方より挿通した複数のねじ２６により上枠補強材１６ｂに固定してある。上横壁２２の下面には、図１に示すように、熱膨張性耐火材２０ｄが長手方向に沿って設けてある。
可動遮炎材４ａは、図１，７に示すように、ステンレス等の金属の板を折り曲げて形成したもので、上横壁２７と下横壁２８と縦壁２９とを有しており、レール補強材２１ａとは反対に縦壁２９を室外側に向けて配置してある。可動遮炎材４ａの上横壁２７はレール補強材２１ａの上横壁２２の下に位置し、可動遮炎材４ａの下横壁２８はレール補強材２１ａの下横壁２３の下に位置している。可動遮炎材４ａは、図２に示すように、レール補強材２１ａを固定している外障子側端部と中央部側の２本のねじ２６，２６の間に配置され、外障子２ａの上框６の略全長にわたって設けてある。なお可動遮炎材４ａは、ねじ２６を逃がす切欠きや長孔を設けることで、長さをもっと長くして、より幅の広い範囲をカバーすることもできる。可動遮炎材４ａは、火災時における外障子２ａの最大下がり寸法よりも、高さ方向の寸法を大きく設定することが望ましい。
【００１５】
上枠３の内レール１３の中空部１５内にも、図１，３に示すように、レール補強材２１ｂと可動遮炎材４ｂが設けてある。レール補強材２１ｂは、縦壁２４を室外側に向けて配置してある。またレール補強材２１ｂは、図３（ａ）に示すように、上枠３の内障子側の端部から内外障子の召合せ部を超えて外障子側までのびており、下方より挿通した複数のねじ２６により上枠補強材１６ｃに固定してある。
可動遮炎材４ｂは、レール補強材２１ｂとは反対に縦壁２９を室内側に向けて配置してある。可動遮炎材４ｂは、図３に示すように、レール補強材２１ｂを固定している内障子側端部と中央部側の２本のねじ２６，２６の間に配置され、内障子２ｂの上框６の略全長にわたって設けてある。なお可動遮炎材４ｂは、ねじ２６を逃がす切欠きや長孔を設けることで、長さをもっと長くして、より幅の広い範囲をカバーすることもできる。可動遮炎材４ｂは、火災時における内障子２ｂの最大下がり寸法よりも、高さ方向の寸法を大きく設定することが望ましい。
【００１６】
外障子２ａと内障子２ｂの上框６は、図１に示すように、上部に上向きに開口したレール呑み込み溝５を有し、レール呑み込み溝５内の上部に外レール１２と内レール１３の下部がのみ込ませてある。レール呑み込み溝５内には、溝の内周面に沿う形で金属製の補強材３０が設けてある。補強材３０の室外側壁の室外側面と室内側面、室内側壁の室内側面には、熱膨張性耐火材２０ｅ，２０ｆ，２０ｇが長手方向に沿って設けてある。また上框６は、レール呑み込み溝５の下方に中空部３１を有し、中空部３１内に金属製の補強材３２が設けてある。当該補強材３２は、上壁３３と下壁３４と室内側壁３５とを有するコ字形断面に形成され、上壁３３の上面と、下壁３４の下面と、室内側壁３５の室外側面と室内側面とに、それぞれ熱膨張性耐火材２０ｈ，２０ｉ，２０ｊ，２０ｋが長手方向に沿って設けてある。さらに上框６は、中空部３１の下方にガラス保持溝３６を有し、ガラス保持溝３６内にも金属製の補強材３７が設けてあり、補強材３７の内周側の見込面と見付面とに熱膨張性耐火材２０ｌ，２０ｍが長手方向に沿って設けてある。
【００１７】
図４は、室外側で火災が発生したときの状態を示している。まず、図４（ａ）に即して、外障子２ａ側について説明する。火災が発生すると、下枠が火災の熱で変形したり戸車が溶けたりすることで、外障子２ａが下に下がる。また、上枠３と上框６は樹脂製のため、それらの室外側の部分が溶けてなくなる。すると、外レール１２が溶けることで、外レール１２内に設けてあった可動遮炎材４ａが上框６のレール呑み込み溝５内に自重で降下する。降下した可動遮炎材４ａは、上横壁２７がレール補強材２１ａの下横壁２３の上に乗っかることで、上枠３と外障子２ａ間の隙間を塞ぐ高さ位置に保持される。これにより、上枠３と外障子２ａとの間に貫通孔ができるのを防ぐ。
これと同時に、金属製の部材である上枠補強材１６ａ，１６ｂ、レール補強材２１ａ、上框６のレール呑み込み溝５内の補強材３０、上框６の中空部３１内の補強材３２、上框６のガラス保持溝３６内の補強材３７にそれぞれ設けた熱膨張性耐火材２０ａ，２０ｂ，２０ｄ，２０ｅ，２０ｆ，２０ｈ，２０ｉ，２０ｊ，２０ｋ，２０ｌ，２０ｍが火災の熱で発泡膨張し、これら金属製の部材１６ａ，１６ｂ，２１ａ，４ａ，３０，３２，３７同士の間の隙間を塞ぐ。このように上枠３から外障子２ａの複層ガラス７までが金属製の部材１６ａ，１６ｂ，２１ａ，４ａ，３０，３２，３７と熱膨張性耐火材２０ａ，２０ｂ，２０ｄ，２０ｅ，２０ｆ，２０ｈ，２０ｉ，２０ｊ，２０ｋ，２０ｌ，２０ｍとで連続して塞がれることで、火炎が室内に侵入するのを防ぐことができる。
図４（ｂ）に示すように、内障子２ｂ側も外障子２ａ側と同様に、上枠３の内レール１３が溶けることで、内レール１３内に設けてあった可動遮炎材４ｂが上框６のレール呑み込み溝５内に自重で降下し、降下した可動遮炎材４ｂは、レール呑み込み溝５内で発泡・膨張した熱膨張性耐火材２０ｆの上に乗っかることで、上枠３と内障子２ｂ間の隙間を塞ぐ高さ位置に保持される。これにより、上枠３と内障子２ｂとの間に貫通孔ができるのを防ぐ。さらに、金属製の部材である上枠補強材１６ｂ，１６ｃ、レール補強材２１ｂ、上框６のレール呑み込み溝５内の補強材３０、上框６の中空部３１内の補強材３２にそれぞれ設けた熱膨張性耐火材２０ｂ，２０ｃ，２０ｅ，２０ｆ，２０ｈ，２０ｉ，２０ｊ，２０ｋが火災の熱で発泡膨張し、これら金属製の部材１６ｂ，１６ｃ，２１ｂ，４ｂ，３０，３２，３７同士の間の隙間を塞ぐ。
【００１８】
図５は、室内側で火災が発生したときの状態を示している。まず、図５（ｂ）に即して、内障子２ｂ側について説明する。火災が発生すると、下枠が火災の熱で変形したり戸車が溶けたりすることで、内障子２ｂが下に下がる。また、上枠３と上框６は樹脂製のため、それらの室内側の部分が溶けてなくなる。すると、内レール１３が溶けることで、内レール１３内に設けてあった可動遮炎材４ｂが上框６のレール呑み込み溝５内に自重で降下する。降下した可動遮炎材４ｂは、上横壁２７がレール補強材２１ｂの下横壁２３の上に乗っかることで、上枠３と内障子２ｂ間の隙間を塞ぐ高さ位置に保持される。これにより、上枠３と内障子２ｂとの間に貫通孔ができるのを防ぐ。
これと同時に、金属製の部材である上枠補強材１６ｃ、レール補強材２１ｂ、上框６のレール呑み込み溝５内の補強材３０、上框６の中空部３１内の補強材３２、上框６のガラス保持溝３６内の補強材３７にそれぞれ設けた熱膨張性耐火材２０ｃ，２０ｄ，２０ｆ，２０ｇ，２０ｈ，２０ｉ，２０ｋ，２０ｍが火災の熱で発泡・膨張し、これら金属製の部材１６ｃ，２１ｂ，４ｂ，３０，３２，３７同士の間の隙間を塞ぐ。このように上枠３から内障子２ｂの複層ガラス７までが金属製の部材１６ｃ，２１ｂ，４ｂ，３０，３２，３７と熱膨張性耐火材２０ｃ，２０ｄ，２０ｆ，２０ｇ，２０ｈ，２０ｉ，２０ｋ，２０ｍとで連続して塞がれることで、火炎が室外に出るのを防ぐことができる。
図５（ａ）に示すように、外障子２ａ側も内障子２ｂ側と同様に、上枠３の外レール１２が溶けることで、外レール１２内に設けてあった可動遮炎材４ａが上框６のレール呑み込み溝５内に自重で降下し、降下した可動遮炎材４ａは、レール呑み込み溝５内で発泡・膨張した熱膨張性耐火材２０ｆの上に乗っかることで、上枠３と外障子２ａ間の隙間を塞ぐ高さ位置に保持される。これにより、上枠３と外障子２ａとの間に貫通孔ができるのを防ぐ。さらに、金属製の部材である上枠補強材１６ｂ，１６ｃ、レール補強材２１ａ、上框６のレール呑み込み溝５内の補強材３０、上框６の中空部３１内の補強材３２、上框６のガラス保持溝３６内の補強材３７にそれぞれ設けた熱膨張性耐火材２０ｂ，２０ｃ，２０ｆ，２０ｇ，２０ｈ，２０ｋ，２０ｍが火災の熱で発泡膨張し、これら金属製の部材１６ｂ，１６ｃ，２１ａ，４ａ，３０，３２，３７同士の間の隙間を塞ぐ。
【００１９】
可動遮炎材４ａ，４ｂは、例えばねじ２６を挿通するなどして、火災時に降下した状態でレール補強材２１ａ，２１ｂや上枠補強材１６ｂ，１６ｃと連結してあってもよい。この場合には、降下した可動遮炎材４ａ，４ｂが障子２ａ，２ｂのレール呑み込み溝５内に設けた補強材３０に引っ掛かることで、障子２ａ，２ｂが外れるのを防止できる。
【００２０】
以上に述べたように本建具は、上枠３に可動遮炎材４ａ，４ｂを有し、可動遮炎材４ａ，４ｂは火災時に障子２ａ，２ｂのレール呑み込み溝５内に降下するため、火災時に障子２ａ，２ｂが下がっても上枠３と障子２ａ，２ｂ間に貫通孔が生じないので、上枠３と障子２ａ，２ｂの間からの延焼を防止できる。例えば、上枠や障子の上框に設けた熱膨張性耐火材のみで上枠と障子の間を塞ごうとする場合には、上枠や上框が火災の熱で溶融・変形することに伴って熱膨張性耐火材が脱落してしまい、貫通孔が生ずるおそれがあるが、本建具のように可動遮炎材４ａ，４ｂを設けることで、貫通孔の発生をより確実に防止できる。
さらに本建具は、可動遮炎材４ａ，４ｂを障子２ａ，２ｂの摺動の邪魔にならない位置に保持する保持部材（外レール１２、内レール１３）を有し、火災時に保持部材が溶けて可動遮炎材４ａ，４ｂが降下するので、通常時に可動遮炎材４ａ，４ｂが障子２ａ，２ｂの摺動の邪魔にならず、火災時には可動遮炎材４ａ，４ｂを確実に降下させられる。
可動遮炎材４ａ，４ｂを金属製とし、自重で降下する構造とすることで、可動遮炎材４ａ，４ｂを簡単に設置することができる。
さらに本建具は、可動遮炎材４ａ，４ｂが火災時に降下したときに、上枠３と障子２ａ，２ｂ間の隙間を塞ぐ高さ位置に保持されるので、可動遮炎材４ａ，４ｂにより火炎を確実に遮断できる。
本建具は、枠１が樹脂製であり、上枠３は中空部内に遮炎材（上枠補強材１６ａ，１６ｂ，１６ｃ、レール補強材２１ａ，２１ｂ及び熱膨張性耐火材２０ａ，２０ｂ，２０ｃ，２０ｄ）が設けてあり、火災時に可動遮炎材４ａ，４ｂが降下したときに、可動遮炎材４ａ，４ｂが遮炎材（上枠補強材１６ａ，１６ｂ，１６ｃ、レール補強材２１ａ，２１ｂ及び熱膨張性耐火材２０ａ，２０ｂ，２０ｃ，２０ｄ）と連続しているので、火災時に上枠３が溶けてなくなっても、火炎が室内外を連通するのを防止できる。
また本建具は、枠１が樹脂製であり、可動遮炎材４ａ，４ｂは上枠３のレール１２，１３の中空部１５内に設けてあるので、通常時は可動遮炎材４ａ，４ｂが外部に露出せず、普通の樹脂サッシの上枠と変わらないものでありながら、火災時には上枠３のレール１２，１３が火災の熱で溶けるのに伴って可動遮炎材４ａ，４ｂが降下し、火炎を遮断できる。
【００２１】
図８は、本発明の建具の他の実施形態を示しており、図８（ａ）は平常時の状態、図８（ｂ）は火災時の状態を示している。本建具も引違いサッシであり、上枠３はアルミ形材で形成してあり、障子２ａ，２ｂの上框６は室外側がアルミ形材６ａで、室内側が樹脂形材６ｂで形成してある。
図８（ａ）に示すように、上枠３は外レール１２の室外側に可動遮炎材４が設けてある。可動遮炎材４は、ステンレス等の金属の板を折り曲げて形成したものであり、外レール１２の室外側面に沿う板状部３８と、板状部３８の上端より室外側に突出する段部３９を有している。板状部３８は外レール１２の半分ほどの高さを有し、外レール１２の上側に当接して、樹脂製のリベット４０で固定してある。よって、平常時には可動遮炎材４が外障子２ａの摺動の邪魔にならないようになっている。可動遮炎材４は、閉鎖した外障子２ａが位置する範囲のみに設けてあってもよいが、上枠３の略全長にわたって設けてあってもよい。
上框６は、室外側のアルミ形材６ａにレール呑み込み溝５が形成してあり、レール呑み込み溝５の見込面と見付面とに熱膨張性耐火材２０ｎ，２０ｐが長手方向に沿って設けてある。
【００２２】
火災が発生すると、外障子２ａが下に下がるが、樹脂製のリベット４０が溶けることで可動遮炎材４が外障子２ａのレール呑み込み溝５内に降下し、上枠３と外障子２ａ間に貫通孔が生じるのを防ぐ。可動遮炎材４は、段部３９が上框６の上縁部に係止すること、または、発泡・膨張した熱膨張性耐火材２０ｎの上に乗ることにより、上枠３と外障子２ａ間の隙間を塞ぐ高さ位置に保持される。同時に、上框６のレール呑み込み溝５内に設けた熱膨張性耐火材２０ｎ，２０ｐが火災の熱で発泡・膨張し、上框６と上枠３間の隙間、レール呑み込み溝５と可動遮炎材４間の隙間を塞ぐので、火炎の通過を確実に遮断できる。なお、図示の例では可動遮炎材４を外レール１２の室外側に設けているが、可動遮炎材４を内レール１３の室内側に設けることで、火災時に上枠３と内障子２ｂとの間に貫通孔が生ずるのを防ぐことができる。
【００２３】
図９は、本発明の建具のさらに別の実施形態を示しており、図９（ａ）は平常時の状態、図９（ｂ）は火災時の状態を示している。
図９（ａ）に示すように、上枠３は外レール１２と内レール１３との間に可動遮炎材４が設けてある。可動遮炎材４は、ステンレス等の金属の板を折り曲げて形成したものであり、外レール１２の室内側面に沿う縦壁４１ａと、上枠の内周側面に沿う横壁４２と、内レール１３の室外側面に沿う縦壁４１ｂを有し、室外側の縦壁４１ａを外レール１２の上部に樹脂製のリベット４０で固定し、平常時に可動遮炎材４が内外障子２ａ，２ｂの摺動の邪魔にならないようになっている。横壁４２の上面には、長手方向に沿って熱膨張性耐火材２０ｑが設けてある。
【００２４】
火災が発生すると、外障子２ａが下に下がるが、樹脂製のリベット４０が溶けることで可動遮炎材４が外障子２ａのレール呑み込み溝５内に降下し、上枠３と外障子２ａ間に貫通孔が生じるのを防ぐ。可動遮炎材４は、横壁４２が内障子２ｂの上框の上縁部に係止すること、または、発泡・膨張した熱膨張性耐火材２０ｐ，２０ｎの上に乗ることにより、上枠３と外障子２ａ間の隙間を塞ぐ高さ位置に保持される。同時に、可動遮炎材４の上面と、上框６のレール呑み込み溝５内に設けた熱膨張性耐火材２０ｎ，２０ｐ，２０ｑが火災の熱で発泡・膨張し、可動遮炎材４と上枠３との隙間、上框６と可動遮炎材４間の隙間、レール呑み込み溝５と可動遮炎材４間の隙間を塞ぐので、火炎の通過を確実に遮断できる。
【００２５】
本発明は以上に述べた実施形態に限定されない。可動遮炎材の形状や材質、取付け方は、適宜変更することができる。枠や框の形状、材質は問わない。本発明は、引違いサッシに限らず、片引きサッシや、玄関引戸等、引戸式の障子を備えるあらゆる建具に適用することができる。
【符号の説明】
【００２６】
１  枠
２ａ  外障子（障子）
２ｂ  内障子（障子）
３  上枠
４，４ａ，４ｂ  可動遮炎材
５  レール呑み込み溝
６  上框
１２  外レール（保持部材）
１３  内レール（保持部材）
１５  レールの中空部
１６ａ，１６ｂ，１６ｃ  上枠補強材（遮炎材）
２０ａ，２０ｂ，２０ｃ，２０ｄ，２０ｅ，２０ｆ，２０ｇ，２０ｈ，２０ｉ，２０ｊ，２０ｋ，２０ｌ，２０ｍ，２０ｎ，２０ｐ，２０ｑ  熱膨張性耐火材（遮炎材）
２１ａ，２１ｂ  レール補強材（遮炎材）
４０  リベット（保持部材）
【図１】
2020105903.tif 000003
【図２】
2020105903.tif 000004
【図３】
2020105903.tif 000005
【図４】
2020105903.tif 000006
【図５】
2020105903.tif 000007
【図６】
2020105903.tif 000008
【図７】
2020105903.tif 000009
【図８】
2020105903.tif 000010
【図９】
2020105903.tif 000011
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
枠と、上下枠に沿って摺動する障子を備え、上枠に金属製の可動遮炎材を有し、可動遮炎材は、火災時に上枠のレールよりも下方に移動して障子のレール呑み込み溝内に降下するものであり、降下した可動遮炎材と上枠の下面側との間に熱膨張性耐火材が設けてあることを特徴とする建具。
【請求項２】
枠と、上下枠に沿って摺動する障子を備え、上枠に金属製の可動遮炎材を有し、可動遮炎材は、火災時に上枠のレールよりも下方に移動して障子のレール呑み込み溝内に降下するものであり、可動遮炎材の上面と、可動遮炎材の上面と対向する上枠の下面側との間に熱膨張性耐火材が設けてあることを特徴とする建具。
【手続補正２】
【補正対象書類名】明細書
【補正対象項目名】全文
【補正方法】変更
【補正の内容】
【発明の詳細な説明】
【技術分野】
【０００１】
本発明は、火災時に上枠と障子の間を火炎が通るのを防止した建具に関する。
【背景技術】
【０００２】
特許文献１には、上下枠に沿って摺動する障子を備え、障子に樹脂製の戸車を取付けた建具が記載されている。このような建具においては、火災が発生すると、下枠が火災の熱で室外側が垂れ下がるように変形したり、障子の樹脂製の戸車が火災の熱で溶けたりすることによって障子が下に下がり、上枠と障子との間に室内外を連通する貫通孔が生じることがある。そのように上枠と障子間に貫通孔が生ずると、そこから火炎が侵入して延焼につながるおそれがある。
【先行技術文献】
【特許文献】
【０００３】
【特許文献１】特開２００７−２１１５６８号公報
【発明の概要】
【発明が解決しようとする課題】
【０００４】
本発明は以上に述べた実情に鑑み、火災時に上枠と障子の間からの延焼を防止できる建具の提供を目的とする。
【課題を解決するための手段】
【０００５】
上記の課題を達成するために請求項１記載の発明による建具は、枠と、上下枠に沿って摺動する障子を備え、上枠に金属製の可動遮炎材を有し、可動遮炎材は、火災時に上枠のレールよりも下方に移動して障子のレール呑み込み溝内に降下するものであり、降下した可動遮炎材と上枠の下面側との間に熱膨張性耐火材が設けてあることを特徴とする
【０００６】
請求項２記載の発明による建具は、枠と、上下枠に沿って摺動する障子を備え、上枠に金属製の可動遮炎材を有し、可動遮炎材は、火災時に上枠のレールよりも下方に移動して障子のレール呑み込み溝内に降下するものであり、可動遮炎材の上面と、可動遮炎材の上面と対向する上枠の下面側との間に熱膨張性耐火材が設けてあることを特徴とする。
【０００７】
本発明の建具は、可動遮炎材を障子の摺動の邪魔にならない位置に保持する保持部材を有し、火災時に保持部材が溶けて可動遮炎材が降下するものとすることができる。
この構成によれば、通常時に可動遮炎材が障子の摺動の邪魔にならず、火災時には可動遮炎材を確実に降下させられる。
【０００８】
本発明の建具は、可動遮炎材は、火災時に降下したときに上枠と障子間の隙間を塞ぐ高さ位置に保持されるものとすることができる。
この構成によれば、可動遮炎材により火炎を確実に遮断できる。
【０００９】
本発明の建具は、枠は樹脂製であり、上枠は中空部内に遮炎材が設けてあり、火災時に可動遮炎材が降下したときに、可動遮炎材が遮炎材と連続しているものとすることができる。
この構成によれば、火災時に上枠が溶けてなくなっても、火炎が室内外を連通するのを防止できる。
【００１０】
本発明の建具は、枠は樹脂製であり、可動遮炎材は上枠のレールの中空部内に設けてあるものとすることができる。
この構成によれば、通常時は可動遮炎材が外部に露出せず、普通の樹脂サッシの上枠と変わらないものでありながら、火災時には上枠のレールが火災の熱で溶けるのに伴って可動遮炎材が降下し、火炎を遮断できる。
【発明の効果】
【００１１】
請求項１記載の発明による建具は、上枠に金属製の可動遮炎材を有し、可動遮炎材は火災時に上枠のレールよりも下方に移動して障子のレール呑み込み溝内に降下するため、火災時に障子が下がっても上枠と障子間に貫通孔が生じず、さらに、降下した可動遮炎材と上枠の下面側との間に熱膨張性耐火材が設けてあることで、上枠と可動遮炎材との間の隙間が熱膨張性耐火材で塞がれるので、上枠と障子の間からの延焼を防止できる。
【００１２】
請求項２記載の発明による建具は、上枠に金属製の可動遮炎材を有し、可動遮炎材は火災時に上枠のレールよりも下方に移動して障子のレール呑み込み溝内に降下するため、火災時に障子が下がっても上枠と障子間に貫通孔が生じず、さらに、可動遮炎材の上面と、可動遮炎材の上面と対向する上枠の下面側との間に熱膨張性耐火材が設けてあることで、火災時に膨張した熱膨張性耐火材が上枠と可動遮炎材との間の隙間を塞ぐため、上枠と障子の間からの延焼を防止できる。
【図面の簡単な説明】
【００１３】
【図１】本発明の建具の一実施形態を示す縦断面図である。
【図２】（ａ）は上枠への遮炎材及び可動遮炎材の配置状態（外障子側）を示す正面図、（ｂ）は同縦断面図である。
【図３】（ａ）は上枠への遮炎材及び可動遮炎材の配置状態（内障子側）を示す正面図、（ｂ）は同縦断面図である。
【図４】室外側で火災が発生したときの状態を示す縦断面図であって、（ａ）は外障子側を、（ｂ）は内障子側を示す。
【図５】室内側で火災が発生したときの状態を示す縦断面図であって、（ａ）は外障子側を、（ｂ）は内障子側を示す。
【図６】（ａ）は外レール内に固定して設けられる遮炎材の平面図、（ｂ）は同正面図、（ｃ）は同側面図である。
【図７】（ａ）は外レール内に設けられる可動遮炎材の平面図、（ｂ）は同正面図、（ｃ）は同側面図である。
【図８】（ａ）は本発明の建具の他の実施形態を示す縦断面図であって、平常時の状態を示し、（ｂ）は火災が発生したときの状態を示す。
【図９】（ａ）は本発明の建具のさらに別の実施形態を示す縦断面図であって、平常時の状態を示し、（ｂ）は火災が発生したときの状態を示す。
【発明を実施するための形態】
【００１４】
以下、本発明の実施の形態を図面に基づいて説明する。図１〜３は、本発明の建具の一実施形態を示している。本建具は、図１に示すように、躯体に固定される枠１と、上下枠に沿って摺動する外障子２ａ及び内障子２ｂとを備える、いわゆる引違いサッシである。
枠１は、合成樹脂の押出形材よりなる上枠３と下枠と左右の竪枠とを、端部を斜め４５°に切断して突き合わせて溶着し、矩形に枠組みされている。外障子２ａと内障子２ｂは、合成樹脂の押出形材よりなる上框６と下框と戸先框と召し合せ框とを、端部を斜めに切断して突き合わせて溶着することで矩形に框組みし、その内側に複層ガラス７を納め、室外側に押縁８を取付けて複層ガラス７を保持してある。
【００１５】
上枠３は、図１に示すように、中空部９ａ，９ｂ，９ｃ，９ｄが見込み方向に複数並べて設けてあり、外周側に躯体固定片１０ａ，１０ｂを有し、内周側に突出して室外側垂下片１１と、外障子２ａ上部を案内する外レール１２と、内障子２ｂ上部を案内する内レール１３と、室内側垂下片１４とが、見込み方向に間隔をおいて設けてある。外レール１２と内レール１３は、中空部１５を有している。
室外側から１〜３番目の中空部内９ａ，９ｂ，９ｃには、上枠補強材１６ａ，１６ｂ，１６ｃがそれぞれ設けてある。これらの上枠補強材１６ａ，１６ｂ，１６ｃは、ステンレス等の金属の板を折り曲げて略コ字形に形成してあり、図２，３に示すように、上枠３の略全長にわたって設けてある。上枠３の外周側面には、所定の長さに切断されたＬ形断面の固定金具１７が間隔をおいて配置され、固定金具１７は上枠３の躯体固定片１０ａの室外側に重ねて室外側からのねじ１８で躯体に固定してある。上枠３の中空部９ａ，９ｂ，９ｃ内に配置した各上枠補強材１６ａ，１６ｂ，１６ｃは、固定金具１７に上方からのねじ１９で固定してある。
各上枠補強材１６ａ，１６ｂ，１６ｃの下面には、火災時に火災の熱により発泡・膨張する熱膨張性耐火材２０ａ，２０ｂ，２０ｃが長手方向に沿って設けてある。かかる熱膨張性耐火材２０ａ，２０ｂ，２０ｃは、市販品の中から適宜選択して用いることができ、例えば積水化学工業株式会社製の商品名「フィブロック」を用いることができる。これは、プラスチック技術を活用した有機系耐火材であり、通常の状態では柔軟な薄いシート状で、２００℃以上に加熱されると発泡して厚さ方向に５〜４０倍に膨張し、断熱層を形成する。火災時に消失することがなく、有害ガスが発生することもない。またフィブロックは、片面に剥離紙付きの接着層を有し、剥離紙を剥がして簡便に接着取付けできる。
【００１６】
上枠３の外レール１２の中空部１５内には、図１，２に示すように、レール補強材２１ａと可動遮炎材４ａが設けてある。レール補強材２１ａは、ステンレス等の金属の板を折り曲げて形成したもので、上横壁２２と下横壁２３と縦壁２４とを有しており、縦壁２４を室内側に向けて配置してある。レール補強材２１ａは、図２（ａ）に示すように、上枠３の外障子側の端部から内外障子の召合せ部を超えて内障子側までのびている。またレール補強材２１ａは、図６に示すように、上横壁２２と下横壁２３に貫通孔２５が設けてあり、該貫通孔２５に下方より挿通した複数のねじ２６により上枠補強材１６ｂに固定してある。上横壁２２の下面には、図１に示すように、熱膨張性耐火材２０ｄが長手方向に沿って設けてある。
可動遮炎材４ａは、図１，７に示すように、ステンレス等の金属の板を折り曲げて形成したもので、上横壁２７と下横壁２８と縦壁２９とを有しており、レール補強材２１ａとは反対に縦壁２９を室外側に向けて配置してある。可動遮炎材４ａの上横壁２７はレール補強材２１ａの上横壁２２の下に位置し、可動遮炎材４ａの下横壁２８はレール補強材２１ａの下横壁２３の下に位置している。可動遮炎材４ａは、図２に示すように、レール補強材２１ａを固定している外障子側端部と中央部側の２本のねじ２６，２６の間に配置され、外障子２ａの上框６の略全長にわたって設けてある。なお可動遮炎材４ａは、ねじ２６を逃がす切欠きや長孔を設けることで、長さをもっと長くして、より幅の広い範囲をカバーすることもできる。可動遮炎材４ａは、火災時における外障子２ａの最大下がり寸法よりも、高さ方向の寸法を大きく設定することが望ましい。
【００１７】
上枠３の内レール１３の中空部１５内にも、図１，３に示すように、レール補強材２１ｂと可動遮炎材４ｂが設けてある。レール補強材２１ｂは、縦壁２４を室外側に向けて配置してある。またレール補強材２１ｂは、図３（ａ）に示すように、上枠３の内障子側の端部から内外障子の召合せ部を超えて外障子側までのびており、下方より挿通した複数のねじ２６により上枠補強材１６ｃに固定してある。
可動遮炎材４ｂは、レール補強材２１ｂとは反対に縦壁２９を室内側に向けて配置してある。可動遮炎材４ｂは、図３に示すように、レール補強材２１ｂを固定している内障子側端部と中央部側の２本のねじ２６，２６の間に配置され、内障子２ｂの上框６の略全長にわたって設けてある。なお可動遮炎材４ｂは、ねじ２６を逃がす切欠きや長孔を設けることで、長さをもっと長くして、より幅の広い範囲をカバーすることもできる。可動遮炎材４ｂは、火災時における内障子２ｂの最大下がり寸法よりも、高さ方向の寸法を大きく設定することが望ましい。
【００１８】
外障子２ａと内障子２ｂの上框６は、図１に示すように、上部に上向きに開口したレール呑み込み溝５を有し、レール呑み込み溝５内の上部に外レール１２と内レール１３の下部がのみ込ませてある。レール呑み込み溝５内には、溝の内周面に沿う形で金属製の補強材３０が設けてある。補強材３０の室外側壁の室外側面と室内側面、室内側壁の室内側面には、熱膨張性耐火材２０ｅ，２０ｆ，２０ｇが長手方向に沿って設けてある。また上框６は、レール呑み込み溝５の下方に中空部３１を有し、中空部３１内に金属製の補強材３２が設けてある。当該補強材３２は、上壁３３と下壁３４と室内側壁３５とを有するコ字形断面に形成され、上壁３３の上面と、下壁３４の下面と、室内側壁３５の室外側面と室内側面とに、それぞれ熱膨張性耐火材２０ｈ，２０ｉ，２０ｊ，２０ｋが長手方向に沿って設けてある。さらに上框６は、中空部３１の下方にガラス保持溝３６を有し、ガラス保持溝３６内にも金属製の補強材３７が設けてあり、補強材３７の内周側の見込面と見付面とに熱膨張性耐火材２０ｌ，２０ｍが長手方向に沿って設けてある。
【００１９】
図４は、室外側で火災が発生したときの状態を示している。まず、図４（ａ）に即して、外障子２ａ側について説明する。火災が発生すると、下枠が火災の熱で変形したり戸車が溶けたりすることで、外障子２ａが下に下がる。また、上枠３と上框６は樹脂製のため、それらの室外側の部分が溶けてなくなる。すると、外レール１２が溶けることで、外レール１２内に設けてあった可動遮炎材４ａが上框６のレール呑み込み溝５内に自重で降下する。降下した可動遮炎材４ａは、上横壁２７がレール補強材２１ａの下横壁２３の上に乗っかることで、上枠３と外障子２ａ間の隙間を塞ぐ高さ位置に保持される。これにより、上枠３と外障子２ａとの間に貫通孔ができるのを防ぐ。
これと同時に、金属製の部材である上枠補強材１６ａ，１６ｂ、レール補強材２１ａ、上框６のレール呑み込み溝５内の補強材３０、上框６の中空部３１内の補強材３２、上框６のガラス保持溝３６内の補強材３７にそれぞれ設けた熱膨張性耐火材２０ａ，２０ｂ，２０ｄ，２０ｅ，２０ｆ，２０ｈ，２０ｉ，２０ｊ，２０ｋ，２０ｌ，２０ｍが火災の熱で発泡膨張し、これら金属製の部材１６ａ，１６ｂ，２１ａ，４ａ，３０，３２，３７同士の間の隙間を塞ぐ。このように上枠３から外障子２ａの複層ガラス７までが金属製の部材１６ａ，１６ｂ，２１ａ，４ａ，３０，３２，３７と熱膨張性耐火材２０ａ，２０ｂ，２０ｄ，２０ｅ，２０ｆ，２０ｈ，２０ｉ，２０ｊ，２０ｋ，２０ｌ，２０ｍとで連続して塞がれることで、火炎が室内に侵入するのを防ぐことができる。
図４（ｂ）に示すように、内障子２ｂ側も外障子２ａ側と同様に、上枠３の内レール１３が溶けることで、内レール１３内に設けてあった可動遮炎材４ｂが上框６のレール呑み込み溝５内に自重で降下し、降下した可動遮炎材４ｂは、レール呑み込み溝５内で発泡・膨張した熱膨張性耐火材２０ｆの上に乗っかることで、上枠３と内障子２ｂ間の隙間を塞ぐ高さ位置に保持される。これにより、上枠３と内障子２ｂとの間に貫通孔ができるのを防ぐ。さらに、金属製の部材である上枠補強材１６ｂ，１６ｃ、レール補強材２１ｂ、上框６のレール呑み込み溝５内の補強材３０、上框６の中空部３１内の補強材３２にそれぞれ設けた熱膨張性耐火材２０ｂ，２０ｃ，２０ｅ，２０ｆ，２０ｈ，２０ｉ，２０ｊ，２０ｋが火災の熱で発泡膨張し、これら金属製の部材１６ｂ，１６ｃ，２１ｂ，４ｂ，３０，３２，３７同士の間の隙間を塞ぐ。
【００２０】
図５は、室内側で火災が発生したときの状態を示している。まず、図５（ｂ）に即して、内障子２ｂ側について説明する。火災が発生すると、下枠が火災の熱で変形したり戸車が溶けたりすることで、内障子２ｂが下に下がる。また、上枠３と上框６は樹脂製のため、それらの室内側の部分が溶けてなくなる。すると、内レール１３が溶けることで、内レール１３内に設けてあった可動遮炎材４ｂが上框６のレール呑み込み溝５内に自重で降下する。降下した可動遮炎材４ｂは、上横壁２７がレール補強材２１ｂの下横壁２３の上に乗っかることで、上枠３と内障子２ｂ間の隙間を塞ぐ高さ位置に保持される。これにより、上枠３と内障子２ｂとの間に貫通孔ができるのを防ぐ。
これと同時に、金属製の部材である上枠補強材１６ｃ、レール補強材２１ｂ、上框６のレール呑み込み溝５内の補強材３０、上框６の中空部３１内の補強材３２、上框６のガラス保持溝３６内の補強材３７にそれぞれ設けた熱膨張性耐火材２０ｃ，２０ｄ，２０ｆ，２０ｇ，２０ｈ，２０ｉ，２０ｋ，２０ｍが火災の熱で発泡・膨張し、これら金属製の部材１６ｃ，２１ｂ，４ｂ，３０，３２，３７同士の間の隙間を塞ぐ。このように上枠３から内障子２ｂの複層ガラス７までが金属製の部材１６ｃ，２１ｂ，４ｂ，３０，３２，３７と熱膨張性耐火材２０ｃ，２０ｄ，２０ｆ，２０ｇ，２０ｈ，２０ｉ，２０ｋ，２０ｍとで連続して塞がれることで、火炎が室外に出るのを防ぐことができる。
図５（ａ）に示すように、外障子２ａ側も内障子２ｂ側と同様に、上枠３の外レール１２が溶けることで、外レール１２内に設けてあった可動遮炎材４ａが上框６のレール呑み込み溝５内に自重で降下し、降下した可動遮炎材４ａは、レール呑み込み溝５内で発泡・膨張した熱膨張性耐火材２０ｆの上に乗っかることで、上枠３と外障子２ａ間の隙間を塞ぐ高さ位置に保持される。これにより、上枠３と外障子２ａとの間に貫通孔ができるのを防ぐ。さらに、金属製の部材である上枠補強材１６ｂ，１６ｃ、レール補強材２１ａ、上框６のレール呑み込み溝５内の補強材３０、上框６の中空部３１内の補強材３２、上框６のガラス保持溝３６内の補強材３７にそれぞれ設けた熱膨張性耐火材２０ｂ，２０ｃ，２０ｆ，２０ｇ，２０ｈ，２０ｋ，２０ｍが火災の熱で発泡膨張し、これら金属製の部材１６ｂ，１６ｃ，２１ａ，４ａ，３０，３２，３７同士の間の隙間を塞ぐ。
【００２１】
可動遮炎材４ａ，４ｂは、例えばねじ２６を挿通するなどして、火災時に降下した状態でレール補強材２１ａ，２１ｂや上枠補強材１６ｂ，１６ｃと連結してあってもよい。この場合には、降下した可動遮炎材４ａ，４ｂが障子２ａ，２ｂのレール呑み込み溝５内に設けた補強材３０に引っ掛かることで、障子２ａ，２ｂが外れるのを防止できる。
【００２２】
以上に述べたように本建具は、上枠３に可動遮炎材４ａ，４ｂを有し、可動遮炎材４ａ，４ｂは火災時に障子２ａ，２ｂのレール呑み込み溝５内に降下するため、火災時に障子２ａ，２ｂが下がっても上枠３と障子２ａ，２ｂ間に貫通孔が生じないので、上枠３と障子２ａ，２ｂの間からの延焼を防止できる。例えば、上枠や障子の上框に設けた熱膨張性耐火材のみで上枠と障子の間を塞ごうとする場合には、上枠や上框が火災の熱で溶融・変形することに伴って熱膨張性耐火材が脱落してしまい、貫通孔が生ずるおそれがあるが、本建具のように可動遮炎材４ａ，４ｂを設けることで、貫通孔の発生をより確実に防止できる。
さらに本建具は、可動遮炎材４ａ，４ｂを障子２ａ，２ｂの摺動の邪魔にならない位置に保持する保持部材（外レール１２、内レール１３）を有し、火災時に保持部材が溶けて可動遮炎材４ａ，４ｂが降下するので、通常時に可動遮炎材４ａ，４ｂが障子２ａ，２ｂの摺動の邪魔にならず、火災時には可動遮炎材４ａ，４ｂを確実に降下させられる。
可動遮炎材４ａ，４ｂを金属製とし、自重で降下する構造とすることで、可動遮炎材４ａ，４ｂを簡単に設置することができる。
さらに本建具は、可動遮炎材４ａ，４ｂが火災時に降下したときに、上枠３と障子２ａ，２ｂ間の隙間を塞ぐ高さ位置に保持されるので、可動遮炎材４ａ，４ｂにより火炎を確実に遮断できる。
本建具は、枠１が樹脂製であり、上枠３は中空部内に遮炎材（上枠補強材１６ａ，１６ｂ，１６ｃ、レール補強材２１ａ，２１ｂ及び熱膨張性耐火材２０ａ，２０ｂ，２０ｃ，２０ｄ）が設けてあり、火災時に可動遮炎材４ａ，４ｂが降下したときに、可動遮炎材４ａ，４ｂが遮炎材（上枠補強材１６ａ，１６ｂ，１６ｃ、レール補強材２１ａ，２１ｂ及び熱膨張性耐火材２０ａ，２０ｂ，２０ｃ，２０ｄ）と連続しているので、火災時に上枠３が溶けてなくなっても、火炎が室内外を連通するのを防止できる。
また本建具は、枠１が樹脂製であり、可動遮炎材４ａ，４ｂは上枠３のレール１２，１３の中空部１５内に設けてあるので、通常時は可動遮炎材４ａ，４ｂが外部に露出せず、普通の樹脂サッシの上枠と変わらないものでありながら、火災時には上枠３のレール１２，１３が火災の熱で溶けるのに伴って可動遮炎材４ａ，４ｂが降下し、火炎を遮断できる。
【００２３】
図８は、本発明の建具の他の実施形態を示しており、図８（ａ）は平常時の状態、図８（ｂ）は火災時の状態を示している。本建具も引違いサッシであり、上枠３はアルミ形材で形成してあり、障子２ａ，２ｂの上框６は室外側がアルミ形材６ａで、室内側が樹脂形材６ｂで形成してある。
図８（ａ）に示すように、上枠３は外レール１２の室外側に可動遮炎材４が設けてある。可動遮炎材４は、ステンレス等の金属の板を折り曲げて形成したものであり、外レール１２の室外側面に沿う板状部３８と、板状部３８の上端より室外側に突出する段部３９を有している。板状部３８は外レール１２の半分ほどの高さを有し、外レール１２の上側に当接して、樹脂製のリベット４０で固定してある。よって、平常時には可動遮炎材４が外障子２ａの摺動の邪魔にならないようになっている。可動遮炎材４は、閉鎖した外障子２ａが位置する範囲のみに設けてあってもよいが、上枠３の略全長にわたって設けてあってもよい。
上框６は、室外側のアルミ形材６ａにレール呑み込み溝５が形成してあり、レール呑み込み溝５の見込面と見付面とに熱膨張性耐火材２０ｎ，２０ｐが長手方向に沿って設けてある。
【００２４】
火災が発生すると、外障子２ａが下に下がるが、樹脂製のリベット４０が溶けることで可動遮炎材４が外障子２ａのレール呑み込み溝５内に降下し、上枠３と外障子２ａ間に貫通孔が生じるのを防ぐ。可動遮炎材４は、段部３９が上框６の上縁部に係止すること、または、発泡・膨張した熱膨張性耐火材２０ｎの上に乗ることにより、上枠３と外障子２ａ間の隙間を塞ぐ高さ位置に保持される。同時に、上框６のレール呑み込み溝５内に設けた熱膨張性耐火材２０ｎ，２０ｐが火災の熱で発泡・膨張し、上框６と上枠３間の隙間、レール呑み込み溝５と可動遮炎材４間の隙間を塞ぐので、火炎の通過を確実に遮断できる。なお、図示の例では可動遮炎材４を外レール１２の室外側に設けているが、可動遮炎材４を内レール１３の室内側に設けることで、火災時に上枠３と内障子２ｂとの間に貫通孔が生ずるのを防ぐことができる。
【００２５】
図９は、本発明の建具のさらに別の実施形態を示しており、図９（ａ）は平常時の状態、図９（ｂ）は火災時の状態を示している。
図９（ａ）に示すように、上枠３は外レール１２と内レール１３との間に可動遮炎材４が設けてある。可動遮炎材４は、ステンレス等の金属の板を折り曲げて形成したものであり、外レール１２の室内側面に沿う縦壁４１ａと、上枠の内周側面に沿う横壁４２と、内レール１３の室外側面に沿う縦壁４１ｂを有し、室外側の縦壁４１ａを外レール１２の上部に樹脂製のリベット４０で固定し、平常時に可動遮炎材４が内外障子２ａ，２ｂの摺動の邪魔にならないようになっている。横壁４２の上面には、長手方向に沿って熱膨張性耐火材２０ｑが設けてある。
【００２６】
火災が発生すると、外障子２ａが下に下がるが、樹脂製のリベット４０が溶けることで可動遮炎材４が外障子２ａのレール呑み込み溝５内に降下し、上枠３と外障子２ａ間に貫通孔が生じるのを防ぐ。可動遮炎材４は、横壁４２が内障子２ｂの上框の上縁部に係止すること、または、発泡・膨張した熱膨張性耐火材２０ｐ，２０ｎの上に乗ることにより、上枠３と外障子２ａ間の隙間を塞ぐ高さ位置に保持される。同時に、可動遮炎材４の上面と、上框６のレール呑み込み溝５内に設けた熱膨張性耐火材２０ｎ，２０ｐ，２０ｑが火災の熱で発泡・膨張し、可動遮炎材４と上枠３との隙間、上框６と可動遮炎材４間の隙間、レール呑み込み溝５と可動遮炎材４間の隙間を塞ぐので、火炎の通過を確実に遮断できる。
【００２７】
本発明は以上に述べた実施形態に限定されない。可動遮炎材の形状や材質、取付け方は、適宜変更することができる。枠や框の形状、材質は問わない。本発明は、引違いサッシに限らず、片引きサッシや、玄関引戸等、引戸式の障子を備えるあらゆる建具に適用することができる。
【符号の説明】
【００２８】
１  枠
２ａ  外障子（障子）
２ｂ  内障子（障子）
３  上枠
４，４ａ，４ｂ  可動遮炎材
５  レール呑み込み溝
６  上框
１２  外レール（保持部材）
１３  内レール（保持部材）
１５  レールの中空部
１６ａ，１６ｂ，１６ｃ  上枠補強材（遮炎材）
２０ａ，２０ｂ，２０ｃ，２０ｄ，２０ｅ，２０ｆ，２０ｇ，２０ｈ，２０ｉ，２０ｊ，２０ｋ，２０ｌ，２０ｍ，２０ｎ，２０ｐ，２０ｑ  熱膨張性耐火材（遮炎材）
２１ａ，２１ｂ  レール補強材（遮炎材）
４０  リベット（保持部材）